(57)【要約】【課題】前後壁の形状や装飾を利用して形態を変化させることができる複合ペンダントを提供する。【解決手段】複合ペンダント２０Ａは、３つの第１ペンダント２１と、２つの第２ペンダント２２とから構成され、それらペンダント２１，２２が連結部材５２を介して連結されている。連結部材５２は、第１周壁２６を貫通する第１透孔に挿通された回転軸と、回転軸の径方向へ延びる旋回軸と、回転軸をその軸方向へ付勢するコイルバネとから形成され、旋回軸が第２前後壁３９，４０に形成された第２透孔に挿通され、コイルバネが第１前後壁２３，２４間に位置する回転軸の内端部に連結されている。この複合ペンダント２０Ａでは、第１および第２ペンダント２１，２２の一方がそれらペンダント２１，２２の他方に対して回転軸の周り方向へ回転可能かつ旋回軸の周り方向へ旋回可能である。【選択図】図３
2005160939.tif 000002
【特許請求の範囲】
【請求項１】
互いに離間対向する第１前後壁および前記第１前後壁の周縁に連なる第１周壁を有する少なくとも１つの第１ペンダントと、互いに離間対向する第２前後壁および前記第２前後壁の周縁に連なる第２周壁を有する少なくとも１つの第２ペンダントとから構成され、それらペンダントが、前記第１および第２周壁を互いに対向させた状態で並ぶとともに、前記第１および第２周壁間に位置する連結部材を介して連結され、それらペンダントを吊り下げるための首紐を通す少なくとも２つの通し孔が、前記第１周壁と前記第２周壁とに形成された複合ペンダントにおいて、
前記連結部材が、前記第１周壁を貫通する第１透孔に挿通されて前記第１および第２周壁間に延びる回転軸と、前記回転軸の外端部に位置して該回転軸の径方向へ延びる旋回軸と、前記第１前後壁間に配置されて前記回転軸をその軸方向へ付勢するコイルバネとから形成され、前記旋回軸が、前記第２前後壁の周縁近傍に形成された第２透孔に挿通され、前記コイルバネの端部が、前記第１前後壁間に位置する前記回転軸の内端部に連結され、前記第１および第２ペンダントの一方が、それらペンダントの他方に対して前記回転軸の周り方向へ回転可能かつ前記旋回軸の周り方向へ旋回可能であることを特徴とする前記複合ペンダント。
【請求項２】
前記回転軸が、前記第１周壁と前記旋回軸との間に位置して前記回転軸の径方向へ延びるストッパーピンを有し、前記ストッパーピンが嵌合可能な凹部が、前記第１周壁の外面に形成され、前記ストッパーピンが前記凹部に嵌入すると、前記コイルバネの付勢力によって前記ストッパーピンの前記凹部からの脱出が阻止されるとともに、前記第１および第２ペンダントの前記回転軸の周り方向への回転が阻止され、前記コイルバネの付勢力に抗して前記第１および第２ペンダントを互いに離間させるようにそれらペンダントを軸方向へ引っ張ると、前記ストッパーピンが前記凹部から外れて前記第１および第２ペンダントの前記回転軸の周り方向への回転が可能となる請求項１記載の複合ペンダント。
【請求項３】
前記ストッパーピンが、前記旋回軸と直交して延び、前記凹部が、前記第１前後壁の周縁の周り方向へ延びている請求項２記載の複合ペンダント。
【請求項４】
前記凹部が、前記ストッパーピンよりも大きな劣弧状を呈し、前記ストッパーピンが、円柱状を呈するとともに前記凹部に遊動嵌合する請求項２または請求項３に記載の複合ペンダント。
【請求項５】
前記連結部材が、前記第１前後壁の間に配置されて前記回転軸の周り方向へ回転可能なカップリングを有し、前記回転軸の内端部と前記コイルバネの端部とが、前記カップリングを介して連結されている請求項１ないし請求項４いずれかに記載の複合ペンダント。
【請求項６】
前記第１前後壁が、前記回転軸の軸方向に対向する一対の第１対角を有し、前記第２前後壁が、互いに対向する一対の第２対角を有し、前記第１および第２ペンダントの複数個が、前記第１対角に延びる第１周壁と前記第２対角に延びる前記第２周壁とを対向させた状態で交互に並んでいる請求項１ないし請求項５いずれかに記載の複合ペンダント。
【発明の詳細な説明】
【技術分野】
【０００１】
本発明は、首紐を介して吊り下げる複合ペンダントに関する。
【背景技術】
【０００２】
一端に宝石を取り付ける宝石取付部と他端にピン孔が形成された連結部と中央部に首紐を通す通し孔とを有する細長い第１ペンダントと、一端に宝石を取り付ける宝石取付部と他端にピン孔が形成された連結部と中央部に首紐を通す通し孔とを有する細長い第２ペンダントとから構成され、第１ペンダントと第２ペンダントとが連結部に挿通されたピンを介して連結された複合ペンダントがある（特許文献１参照）。第１ペンダントは、その平面形状がＳ字状を呈する。第２ペンダントは、長さが第１ペンダントのそれよりも短く、その平面形状が弧状を呈する。第１ペンダントと第２ペンダントとは、それらの一方が他方に対してピンの周り方向へ旋回可能である。第１および第２ペンダントの宝石取付部には、宝石が固定されている。
【０００３】
この複合ペンダントは、第１および第２ペンダントの通し孔に首紐を挿通し、首紐を首に掛けると、胸元に吊り下がるそれらペンダントが連結部を中心とした逆Ｖ形状を呈し、それらペンダントに取り付けられた宝石が斜め下方に垂れ下がる。また、第２ペンダントの通し孔のみに首紐を挿通し、首紐を首に掛けると、胸元に吊り下がるそれらペンダントが上下方向へ直線状に並び、第２ペンダントに取り付けられた宝石が首紐の上方に位置し、第１ペンダントに取り付けられた宝石が首紐の下方に位置する。この複合ペンダントは、首紐を挿通する通し孔を選択することによってその形態が変化するので、ペンダントの形態が固定されることはなく、異なる形態のペンダントとして使用することができる。
【特許文献１】特開２０００−３４２３１０号公報
【発明の開示】
【発明が解決しようとする課題】
【０００４】
前記特許文献１に開示の複合ペンダントでは、第１および第２ペンダントがピンの周り方向へ旋回することで、その形態を変化させることができたとしても、第１および第２ペンダントの一方を他方に対してピンの軸方向と交差する方向へ回転させることができず、それらペンダントの両面の形状や装飾を利用して複合ペンダントの形態を変化させることができない。
【０００５】
本発明の目的は、前後壁の形状や装飾を利用して形態を変化させることができる複合ペンダントを提供することにある。
【課題を解決するための手段】
【０００６】
前記課題を解決するための本発明の前提は、互いに離間対向する第１前後壁および第１前後壁の周縁に連なる第１周壁を有する少なくとも１つの第１ペンダントと、互いに離間対向する第２前後壁および第２前後壁の周縁に連なる第２周壁を有する少なくとも１つの第２ペンダントとから構成され、それらペンダントが、第１および第２周壁を互いに対向させた状態で並ぶとともに、第１および第２周壁間に位置する連結部材を介して連結され、それらペンダントを吊り下げるための首紐を通す少なくとも２つの通し孔が、第１周壁と第２周壁とに形成された複合ペンダントである。
【０００７】
前記前提における本発明の特徴は、連結部材が、第１周壁を貫通する第１透孔に挿通されて第１および第２周壁間に延びる回転軸と、回転軸の外端部に位置して該回転軸の径方向へ延びる旋回軸と、第１前後壁間に配置されて回転軸を該第１前後壁の中央部に向かって軸方向へ付勢するコイルバネとから形成され、旋回軸が第２前後壁の周縁近傍に形成された第２透孔に挿通され、コイルバネの端部が第１前後壁間に位置する回転軸の内端部に連結されていることにある。この複合ペンダントは、第１および第２ペンダントの一方が他方に対して回転軸の周り方向へ回転可能であり、第１および第２ペンダントの一方が他方に対して旋回軸の周り方向へ旋回可能である。
【０００８】
本発明は、以下の実施態様を有する。
（１）複合ペンダントでは、回転軸が第１周壁と旋回軸との間に位置して回転軸の径方向へ延びるストッパーピンを有し、ストッパーピンが嵌合可能な凹部が第１周壁の外面に形成されている。この態様の複合ペンダントは、ストッパーピンが凹部に嵌入すると、コイルバネの付勢力によってストッパーピンの凹部からの脱出が阻止されるとともに、第１および第２ペンダントの回転軸の周り方向への回転が阻止され、コイルバネの付勢力に抗して第１および第２ペンダントを互いに離間させるようにそれらペンダントを軸方向へ引っ張ると、ストッパーピンが凹部から外れて第１および第２ペンダントの回転軸の周り方向への回転が可能となる。
（２）複合ペンダントでは、ストッパーピンが旋回軸と直交して延び、凹部が第１前後壁の周縁の周り方向へ延びている。この態様の複合ペンダントは、第１および第２ペンダントの一方を他方に対して略１８０°回転させる毎にストッパーピンが凹部に嵌入する。
（３）複合ペンダントでは、凹部がストッパーピンよりも大きな劣弧状を呈し、ストッパーピンが円柱状を呈するとともに凹部に遊動嵌合する。この態様の複合ペンダントは、凹部に嵌入したストッパーピンが凹部において遊動し、それにともなって第１および第２ペンダントが回転軸の周り方向へわずかに回転する。
（４）複合ペンダントでは、連結部材が第１前後壁の間に配置されて回転軸の周り方向へ回転可能なカップリングを有し、回転軸の内端部とコイルバネの端部とがカップリングを介して連結されている。この態様の複合ペンダントは、カップリングに対して回転軸が独立して回転し、回転軸が回転したとしても、それによってコイルバネが回転することはない。
（５）複合ペンダントでは、第１ペンダントの第１前後壁が回転軸の軸方向に対向する一対の第１対角を有し、第２ペンダントの第２前後壁が互いに対向する一対の第２対角を有し、第１および第２ペンダントの複数個が第１対角に延びる第１周壁と第２対角に延びる第２周壁とを対向させた状態で交互に並んでいる。
【発明の効果】
【０００９】
本発明に係る複合ペンダントによれば、第１および第２ペンダントの一方を他方に対して回転軸の周り方向へ回転させることで、第１ペンダントの前壁と第２ペンダントの後壁とを並べることや第１ペンダントの後壁と第２ペンダントの前壁とを並べることができ、それらペンダントの一方の壁のみならず、それらペンダントの前後壁の形状や装飾を利用して複合ペンダントの形態を変化させることができる。この複合ペンダントは、第１および第２ペンダントの一方が他方に対して旋回軸の周り方向へ旋回するので、首紐を挿通する通し孔を選択することによってその形態を変化させることができる。この複合ペンダントは、その形態が変化する優れた造形性を有し、多様な形態のペンダントとして使用することができ、それを着用する者の胸元を飾る美的装飾品として好適である。
【００１０】
回転軸がその径方向へ延びるストッパーピンを有し、ストッパーピンが第１周壁の外面に形成された凹部に嵌合可能な複合ペンダントでは、ストッパーピンが凹部に嵌入すると、コイルバネの付勢力によってストッパーピンの凹部からの脱出が阻止されるとともに、第１および第２ペンダントの回転軸の周り方向への回転が阻止されるので、第１および第２ペンダントの回転軸の周り方向への不用意な回転を防ぐことができる。
【００１１】
ストッパーピンが旋回軸と直交して延び、凹部が第１前後壁の周縁の周り方向へ延びている複合ペンダントは、第１および第２ペンダントの一方を他方に対して略１８０°回転させる毎にストッパーピンが凹部に嵌入するので、第１および第２ペンダントの前壁どうしが並んだ状態でそれらペンダントの回転を停止させることができ、第１ペンダントの前壁と第２ペンダントの後壁とが並んだ状態でそれらペンダントの回転を停止させることができる。
【００１２】
凹部がストッパーピンよりも大きな劣弧状を呈し、ストッパーピンが円柱状を呈するとともに凹部に遊動嵌合する複合ペンダントでは、凹部に嵌入したストッパーピンが凹部において遊動するので、第１および第２ペンダントが首紐の捻れや捩れ等の動きに追従して回転軸の周り方向へわずかに回転することができ、ストッパーピンが凹部に締り嵌めや止り嵌めした場合と比較し、ストッパーピンの折損や凹部の破損を防ぐことができる。
【００１３】
回転軸の内端部とコイルバネの端部とが回転軸の周り方向へ回転可能なカップリングを介して連結された複合ペンダントは、カップリングに対して回転軸が独立して回転し、回転軸が回転したとしても、それによってコイルバネが回転することがないので、コイルバネが回転軸とともに回転することによるバネの破損を防ぐことができる。
【００１４】
第１ペンダントと第２ペンダントとの複数個が第１対角に延びる第１周壁と第２対角に延びる第２周壁とを対向させた状態で交互に並んでいる複合ペンダントは、第１および第２ペンダントの非旋回状態においてそれらペンダントの前後壁の辺どうしが互いに当接することはなく、それらペンダントの一方を他方に対して旋回軸の周り方向へ確実に旋回させることができる。この複合ペンダントは、第１および第２ペンダントが交互に並んでいるので、隣り合うそれらペンダントの一方を他方に対して回転軸の周り方向へ回転させることができる。
【発明を実施するための最良の形態】
【００１５】
添付の図面を参照し、本発明に係る複合ペンダントの詳細を説明すると、以下のとおりである。
【００１６】
図１，２は、一例として示す複合ペンダント２０Ａの正面図と、複合ペンダント２０Ａの背面図とであり、図３は、宝石３３，３４と固定ピン３６との図示を省略して示す図１の複合ペンダント２０Ａの斜視図である。複合ペンダント２０Ａは、３つの第１ペンダント２１と、２つの第２ペンダント２２とから構成されている。複合ペンダント２０Ａでは、第２ペンダント２２が第１ペンダント２１Ａを挟んでペンダント２１Ａの両側に配置され、さらに、第１ペンダント２１Ｂが第２ペンダント２２の両側に配置されており、第１ペンダント２１と第２ペンダント２２とが交互に並んでいる。
【００１７】
第１ペンダント２１は、互いに離間対向する前壁２３（第１前壁）および後壁２４（第１後壁）と、前後壁２３，２４の周縁２５に連なる周壁２６（第１周壁）とを有する。前壁２３と後壁２４とは、大きさが同一であり、平面形状が同一の略方形を呈する。前後壁２３，２４は、互いに平行して延びる第１対辺２７と、互いに平行して延びる第２対辺２８と、それら対辺２７，２８が交差する面取りされた一対の対角２９（第１対角）と、それら対辺２７，２８が交差する面取りされた一対の対角３０とを有する。対角２９は、前後壁２３，２４の仮想線で示す対角線３１上に位置し、後記する回転軸５３の軸方向に対向している。対角３０は、前後壁２３，２４の仮想線で示す対角線３２上に位置している。
【００１８】
前後壁２３，２４の外面には、種類および形状の異なる宝石３３，３４が取り付けられている。宝石３３，３４は、前後壁２３，２４の中央部３５に配置され、前後壁２３，２４の外面から外側に延びる固定ピン３６を介してそれら壁２３，２４に固定されている。周壁２６は、前後壁２３，２４の対角２９，３０に位置し、前後壁２３，２４間に延びている。それら周壁２６の間には、首紐を通す４つの通し孔３７が形成されている。前壁２３と後壁２４との間には、周壁２６の長さに比例した空間３８が形成されている。
【００１９】
第２ペンダント２２は、互いに離間対向する前壁３９（第２前壁）および後壁４０（第２後壁）と、前後壁３９，４０の周縁４１に連なる周壁４２（第２周壁）とを有する。前壁３９と後壁４０とは、大きさと平面形状とが異なり、後壁４０よりも前壁３９が大きく、前壁３９の平面形状が略方形を呈し、後壁４０の平面形状が略星形を呈する。前壁３９は、互いに平行して延びる一対の第１対辺４３と、互いに平行して延びる一対の第２対辺４４と、それら対辺４３，４４が交差する面取りされた一対の対角４５（第２対角）と、それら対辺４３，４４が交差する面取りされた一対の対角４６とを有する。後壁４０は、その中央部３５に向かって凹む一対の第１辺４７と、その中央部３５に向かって凹む一対の第２辺４８と、それら辺４７，４８が交差する面取りされた一対の対角４５（第２対角）と、それら辺４７，４８が交差する面取りされた一対の対角４６とを有する。対角４５は、前後壁３９，４０の仮想線で示す対角線３１上に位置し、第１ペンダント２１の対角２９と対向している。対角４６は、前後壁３９，４０の仮想線で示す対角線３２上に位置している。
【００２０】
前後壁３９，４０の外面には、種類および形状の異なる宝石４９，５０が取り付けられている。それら宝石４９，５０は、前後壁３９，４０の中央部３５に配置され、前後壁３９，４０の外面から外側に延びる固定ピン３６を介してそれら壁３９，４０に固定されている。周壁４２は、前後壁３９，４０の対角４５，４６に位置し、前後壁３９，４０間に延びている。それら周壁４２の間には、首紐を通す４つの通し孔５１が形成されている。前壁３９と後壁４０との間には、周壁４２の長さに比例した空間３８が形成されている。
【００２１】
なお、第１ペンダント２１では、前後壁２３，２４の外面に宝石３３，３４を取り付けることのみならず、それら壁２３，２４の外面に凹凸模様を付けることやそれら壁２３，２４の外面を着色する等の装飾を施すことができる。第２ペンダント２２では、前後壁３９，４０の外面に宝石４９，５０を取り付けることのみならず、第１ペンダント２１と同様に前後壁３９，４０の外面と後壁４０の内面とに装飾を施すことができる。前壁３９の外面と後壁４０の外面とには、異なる装飾を施すことが好ましい。
【００２２】
図４，５は、第１および第２ペンダント２１，２２の前壁２３，３９を除いた状態で示す図１の複合ペンダント２０Ａの平面図と、図１の５−５線矢視断面図とであり、図６は、前後壁２３，２４，３９，４０を破断して示す連結部材５２の拡大斜視図である。図４，５では、宝石３３，３４と固定ピン３６との図示を省略している。第１ペンダント２１と第２ペンダント２２とは、ペンダント２１の対角２９に延びる周壁２６とペンダント２２の対角４５に延びる周壁４２とを互いに対向させた状態で並んでいる。第１および第２ペンダント２１，２２は、それらペンダント２１，２２の周壁２９，４２間に位置する連結部材５２を介して連結されている。
【００２３】
連結部材５２は、第１および第２ペンダント２１，２２の周壁２６，４２間に延びる回転軸５３と、軸５３の径方向へ延びる旋回軸５４と、軸５３の軸方向へ延びるコイルバネ５５とから形成されている。回転軸５３は、円柱状を呈し、第１ペンダント２１の周壁２６を貫通する第１透孔５６に回転可能に挿通されている。回転軸５３は、周壁２６の外面から外側に延びる外端部５７と、前後壁２３，２４間の空間３８に位置して周壁２６の内面から前後壁２３，２４の中央部３５に向かって延びる内端部５８とを有する。回転軸５３の内端部５８には、軸５３の径方向へ貫通する開孔５９が形成されている。
【００２４】
旋回軸５４は、円柱状を呈し、回転軸５３の外端部５７に位置して第２ペンダント２２の前後壁３９，４０間に延びている。旋回軸５４は、前後壁３９，４０を貫通する第２透孔６０に回転可能に挿通されている。第２透孔６０は、前後壁３９，４０の周縁４１近傍に形成されている。旋回軸５４は、その両端に大きさが第２透孔６０よりも大きい抜け止め用頭部６１を有する。旋回軸５４は、頭部６１によって第２透孔６０からの抜けが防止されている。コイルバネ５５は、前後壁２３，２４間の空間３８に配置され、その両端部にフック６２を有する。コイルバネ５５は、フック６２が回転軸５３の開孔５９に引っ掛かることで回転軸５３の内端部５８に連結されている。
【００２５】
第１ペンダント２１Ｂには、前後壁２３，２４間の空間３８に位置して周壁２６の内面から前後壁２３，２４の中央部３５に向かって延びる固定軸６３が取り付けられている。固定軸６３には、軸６３の径方向へ貫通する開孔６４が形成されている。ペンダント２１Ｂでは、フック６２が回転軸５３の開孔５９に引っ掛かることでコイルバネ５５が軸５３の内端部５８に連結され、フック６２が固定軸６３の開孔６４に引っ掛かることでコイルバネ５５が軸６４に連結されている。
【００２６】
複合ペンダント２０Ａでは、コイルバネ５５を介して回転軸５３が前後壁２３，２４の中央部３５に向かって軸５３の軸方向に付勢され、それによって第２ペンダント２２が第１ペンダント２１に向かって引っ張られており、それらペンダント２１，２２の周壁２６，４２どうしが互いに圧接している。複合ペンダント２０Ａは、第１および第２ペンダント２１，２２の一方が他方に対して図５に矢印Ｙ１で示す回転軸５３の周り方向へ回転可能であり、それらペンダント２１，２２の一方を他方に対して時計回り方向と反時計回り方向とへ回転させることができる。
【００２７】
複合ペンダント２０Ａは、第１および第２ペンダント２１，２２の一方が他方に対して図４に矢印Ｙ２で示す旋回軸５４の周り方向へ旋回可能である。複合ペンダント２０Ａは、第１および第２ペンダント２１，２２を直線上に並べた図４の非旋回状態においてそれらペンダント２１，２２の前後壁２３，２４，３９，４０の辺２７，２８，４３，４４どうしが互いに当接してはおらず、それらペンダント２１，２２の一方を他方に向かって旋回させることができる。複合ペンダント２０Ａは、第１および第２ペンダント２１，２２の一方を他方に対して旋回させると、それらペンダント２１，２２の辺２７，２８，４３，４４どうしが当接し、それらペンダント２１，２２の旋回が停止する。
【００２８】
図７，８は、首紐６５を介して吊り下げられた図１の複合ペンダント２０Ａの斜視図である。図７，８では、第２ペンダント２２を第１ペンダント２１に対して回転軸５３の周り方向へ１８０°回転させた状態で示す。図７のペンダント２０Ａでは、首紐６５が第１ペンダント２１Ａの通し孔３７に挿通され、第２ペンダント２２が旋回軸５４の周り方向へ旋回し、第１および第２ペンダント２１Ｂ，２２が互いに並列した状態で首紐６５から下方へ延びている。図８のペンダント２０Ａでは、首紐６５が第１ペンダント２１Ｂの通し孔３７に挿通され、第２ペンダント２２が旋回軸５４の周り方向へ旋回し、それらペンダント２１，２２が首紐６５の下方で略環状を形成している。
【００２９】
複合ペンダント２０Ａは、第１および第２ペンダント２１，２２の一方が他方に対して旋回軸５４の周り方向へ旋回するので、首紐６５を挿通する通し孔３７，５１を選択することによって首紐６５を介して吊り下げたときのペンダント２０Ａの形態を変化させることができる。さらに、第１および第２ペンダント２１，２２の一方が他方に対して回転軸５３の周り方向へ回転するので、第１ペンダント２１の前壁２３と第２ペンダント２２の後壁４０とを並べることや第１ペンダント２１の後壁２４と第２ペンダント２２の前壁３９とを並べることができ、それらペンダント２１，２２の一方の壁のみならず、前後壁２３，２４，３９，４０の形状や装飾を利用してペンダント２０Ａの形態を変化させることができる。複合ペンダント２０Ａは、第１および第２ペンダント２１，２２が旋回軸５４を介して旋回するだけの場合と比較し、多様な形態のペンダント２０Ａとして使用することができる。また、第２ペンダント２２の前壁３９と後壁４０とが異なる平面形状を有するので、第２ペンダント２２の前後壁３９，４０が同一の平面形状である場合と比較し、一層多様な形態のペンダント２０Ａとして使用することができる。
【００３０】
この複合ペンダント２０Ａでは、コイルバネ５５によって回転軸５３が前後壁２３，２４の中央部３５に向かって付勢され、それによって第１および第２ペンダント２１，２２の周壁２６，４２どうしが圧接しているので、首紐６５を介して吊り下げたときのそれらペンダント２１，２２の不用意な回転を防ぐことができる。
【００３１】
図９，１０は、他の一例として示す複合ペンダント２０Ｂの正面図と、複合ペンダント２０Ｂの背面図とであり、図１１は、宝石４９，５０Ａ，５０Ｂと固定ピン３６との図示を省略して示す図９の複合ペンダント２０Ｂの斜視図である。図１１では、第１ペンダント２１と第２ペンダント２２の一方との連結を解除した状態で示す。複合ペンダント２０Ｂは、１つの第１ペンダント２１と、２つの第２ペンダント２２とから構成されている。複合ペンダント２０Ｂでは、第２ペンダント２２が第１ペンダント２１を挟んでペンダント２１の両側に配置されている。
【００３２】
第１ペンダント２１は、互いに離間対向する前壁２３（第１前壁）および後壁２４（第１後壁）と、前後壁２３，２４の周縁２５に連なる周壁２６（第１周壁）とを有する。前壁２３と後壁２４とは、その大きさが同一であり、その平面形状が同一の略十字形を呈する。前後壁２３，２４は、それら壁２３，２４の中央部３５に向かって凹む一対の第１辺６６と、それら壁２３，２４の中央部３５に向かって凹む一対の第２辺６７と、それら辺６６，６７が交差する面取りされた一対の対角２９（第１対角）と、それら辺６６，６７が交差する一対の対角３０とを有する。対角２９は、前後壁２３，２４の仮想線で示す対角線３１上に位置し、回転軸５３の軸方向に対向している。対角３０は、前後壁２３，２４の仮想線で示す対角線３２上に位置している。
【００３３】
前後壁２３，２４の外面には、種類および形状の異なる宝石３３，３４Ａ，３４Ｂが取り付けられている。それら宝石３３，３４Ａは、前後壁２３，２４の中央部３５に配置され、それら壁２３，２４の外面から外側に延びる固定ピン３６を介して固定されている。宝石３４Ｂは、後壁２４の外面に嵌め込まれている。周壁２６は、前後壁２３，２４の対角２９，３０に位置し、前後壁２３，２４間に延びている。それら周壁２６の間には、首紐を通す４つの通し孔３７が形成されている。前壁２３と後壁２４との間には、周壁２６の長さに比例した空間３８が形成されている。
【００３４】
第２ペンダント２２は、互いに離間対向する前壁３９（第２前壁）および後壁４０（第２後壁）と、前後壁３９，４０の周縁４１に連なる周壁４２（第２周壁）とを有する。前壁３９と後壁４０とは、その大きさが同一であり、その平面形状が同一の略十字形を呈する。前後壁３９，４０は、それら壁３９，４０の中央部３５に向かって凹む一対の第１辺６８と、それら壁３９，４０の中央部３５に向かって凹む一対の第２辺６９と、それら辺６８，６９が交差する一対の対角４５（第２対角）と、それら辺６８，６９が交差する一対の対角４６とを有する。対角４５は、前後壁３９，４０の仮想線で示す対角線３１上に位置している。対角２９と対向する対角４５には、面取りが施されている。対角６９は、前後壁３９，４０の仮想線で示す対角線３２上に位置している。
【００３５】
前後壁３９，４０の外面には、種類および形状の異なる宝石４９，５０Ａ，５０Ｂが取り付けられている。それら宝石４９，５０Ａは、前後壁３９，４０の中央部３５に配置され、それら壁３９，４０の外面から外側に延びる固定ピン３６を介して固定されている。宝石５０Ｂは、後壁４０の外面に嵌め込まれている。周壁４２は、前後壁３９，４０の対角４５，４６に位置し、前後壁３９，４０間に延びている。それら周壁４２の間には、首紐を通す４つの通し孔５１が形成されている。前壁３９と後壁４０との間には、周壁４２の長さに比例した空間３８が形成されている。なお、第１および第２ペンダント２１，２２では、それらペンダント２１，２２の前後壁２３，２４，３９，４０の外面に凹凸模様を付けることや前後壁２３，２４，３９，４０の外面を着色する等の装飾を施すことができる。
【００３６】
図１２，１３は、第１および第２ペンダント２１，２２の前壁２３，３９を除いた状態で示す図９の複合ペンダント２０Ｂの平面図と、図９の１３−１３線矢視断面図とであり、図１４は、前後壁２３，２４，３９，４０を破断して示す連結部材５２の拡大斜視図である。第１ペンダント２１と第２ペンダント２２とは、ペンダント２１の対角２９に延びる周壁２６とペンダント２２の対角４５に延びる周壁４２とを互いに対向させた状態で並んでいる。第１および第２ペンダント２１，２２は、それらペンダント２１，２２の周壁２６，４２間に位置する連結部材５２を介して連結されている。
【００３７】
連結部材５２は、第１および第２ペンダント２１，２２の周壁２６，４２間に延びる回転軸５３と、軸５３の径方向へ延びる旋回軸５４と、軸５３の軸方向へ延びるコイルバネ５５と、軸５３の径方向へ延びるストッパーピン７０と、軸５３の軸方向へ延びるカップリング７１とから形成されている。回転軸５３は、円柱状を呈し、第１ペンダント２１の周壁２６を貫通する第１透孔５６に回転可能に挿通されている。回転軸５３は、周壁２６の外面から外側に延びる外端部５７と、前後壁２３，２４間の空間３８に位置して周壁２６の内面から前後壁２３，２４の中央部３５に向かって延びる内端部５８とを有する。回転軸５３の外端部５７には、軸５３の径方向へ貫通する開孔７２が形成されている。
【００３８】
旋回軸５４は、円柱状を呈し、回転軸５３の外端部５７に位置して第２ペンダント２２の前後壁３９，４０間に延びている。旋回軸５４は、回転軸５３の外端部５７に形成された開孔７２に回転可能に挿通されている。旋回軸５４は、前後壁３９，４０の周縁４１近傍に形成されてそれら壁３９，４０を貫通する第２透孔６０に挿通され、その両端が前後壁３９，４０の周縁４１近傍に固定されている。ストッパーピン７０は、円柱状を呈し、第１ペンダント２１の周壁２６と旋回軸５４との間に位置している。ストッパーピン７０は、旋回軸５４と直交して延びている。周壁２６の外面には、ストッパーピン７０が遊動嵌合可能な凹部７３が形成されている。凹部７３は、ストッパーピン７０よりも大きな劣弧状を呈し、前後壁２３，２４の周縁２５の周り方向へ延びている。
【００３９】
コイルバネ５５は、前後壁２３，２４間の空間３８に配置され、その両端部にフック６２を有する。カップリング７１は、回転軸５３の内端部５８とコイルバネ５５の両端部との間に位置し、軸５３の軸方向へ貫通する開孔７４と、軸５３の径方向へ貫通する開孔７５とを有する。カップリング７１の開孔７４には、回転軸５３の内端部５８が回転可能に挿通されている。回転軸５３の内端部５８の端には、大きさが開孔７４よりも大きい抜け止め用頭部７６が形成されている。回転軸５３は、頭部７６によってカップリング７１からの抜けが防止されている。カップリング７１の開孔７５には、コイルバネ５５のフック６１が引っ掛かっている。回転軸５３の内端部５８とコイルバネ５５の両端部とは、カップリング７１を介して連結されている。カップリング７１は、回転軸５３から独立して軸５３の周り方向へ回転可能である。
【００４０】
複合ペンダント２０Ｂでは、コイルバネ５５を介して回転軸５３が前後壁２３，２４の中央部３５に向かって軸５３の軸方向へ付勢され、それによって第２ペンダント２２が第１ペンダント２１に向かって引っ張られている。複合ペンダント２０Ｂは、第１および第２ペンダント２１，２２の一方が他方に対して図１３に矢印Ｙ１で示す回転軸５３の周り方向へ回転可能であり、それらペンダント２１，２２の一方を他方に対して時計回り方向と反時計回り方向とへ回転させることができる。
【００４１】
複合ペンダント２０Ｂは、第１および第２ペンダント２１，２２の一方が他方に対して図１２に矢印Ｙ２で示す旋回軸５４の周り方向へ旋回可能である。複合ペンダント２０Ｂは、第１および第２ペンダント２１，２２を直線上に並べた図１２の非旋回状態においてそれらペンダント２１，２２の前後壁２３，２４，３９，４０の辺６６，６７，６８，６９どうしが互いに当接してはおらず、それらペンダント２１，２２の一方を他方に向かって旋回させることができる。複合ペンダント２０Ｂは、第１および第２ペンダント２１，２２の一方を他方に対して旋回させると、それらペンダント２１，２２の辺６６，６７，６８，６９どうしが当接し、それらペンダント２１，２２の旋回が停止する。
【００４２】
複合ペンダント２０Ｂでは、図１４に示すように、ストッパーピン７０が凹部７３に嵌入すると、コイルバネ５５の付勢力によってストッパーピン７０の凹部７３からの脱出が阻止され、第１および第２ペンダント２１，２２の回転軸５３の周り方向への回転が阻止される。コイルバネ５５の付勢力に抗して第１および第２ペンダント２１，２２を互いに離間させるようにそれらペンダント２１，２２を軸方向へ引っ張ると、ストッパーピン７０が凹部７３から外れ、第１および第２ペンダント２１，２２の一方を他方に対して回転軸５３の周り方向へ回転させることができる。複合ペンダント２０Ｂは、第１および第２ペンダント２１，２２の一方を他方に対して回転軸５３の周り方向へ１８０°回転させる毎にストッパーピン７０が凹部７３に嵌入するので、第１および第２ペンダント２１，２２の前壁２３，３９どうしが並んだ状態でそれらペンダント２１，２２の回転を停止させることができ、第１ペンダント２１の前壁２３と第２ペンダント２２の後壁４０とが並んだ状態でそれらペンダント２１，２２の回転を停止させることができる。複合ペンダント２０Ｂは、凹部７３に嵌合するストッパーピン７０によって第１および第２ペンダント２１，２２の不用意な回転を防ぐことができ、第１および第２ペンダント２１，２２の前壁２３，３９どうしが並んだ状態や第１ペンダント２１の前壁２３と第２ペンダント２２の後壁４０とが並んだ状態を維持することができる。
【００４３】
複合ペンダント２０Ｂは、カップリング７１に対して回転軸５３が独立して回転可能であり、第１および第２ペンダント２１，２２の一方を他方に対して回転軸５３の周り方向へ何回回転させたとしても、回転軸５３の回転力がコイルバネ５５に伝わることはなく、コイルバネ５５が回転することがないので、コイルバネ５５が回転軸５３とともに回転することによるバネ５５の破損を防ぐことができる。複合ペンダント２０Ｂは、凹部７３に嵌入したストッパーピン７０が凹部７３において遊動するので、第１および第２ペンダント２１，２２が首紐の捻れや捩れ等の動きに追従して回転軸５３の周り方向へわずかに回転することができ、ストッパーピン７０が凹部７３に締り嵌めや止り嵌めした場合と比較し、ストッパーピン７０の折損や凹部７３の破損を防ぐことができる。
【００４４】
なお、この複合ペンダント２０Ｂでは、周壁２６の外面に前後壁２３，２４の周縁２５の周り方向へ延びる凹部７３のみならず、前後壁２３，２４間に延びる凹部が形成されていてもよい。周壁２５に前後壁２３，２４間に延びる凹部を形成すると、第１および第２ペンダント２１，２２の一方を他方に対して回転軸５３の周り方向へ９０°回転させる毎にストッパーピン７０が凹部に嵌入する。また、カップリング７１が回転軸５３の内端部５８とコイルバネ５５の両端部との間に配置されているが、カップリング７１が回転軸５３の内端部５８とコイルバネ５５の一方の端部との間にのみ配置されていてもよい。
【００４５】
図１５，１６は、首紐６５を介して吊り下げられた図９の複合ペンダント２０Ｂの斜視図である。図１５，１６では、第２ペンダント２２を第１ペンダント２１に対して回転軸５３の周り方向へ１８０°回転させた状態で示す。図１５のペンダント２０Ｂでは、首紐６５が第２ペンダント２２の通し孔３７に挿通され、それらペンダント２１，２２が首紐６５の下方へ直線状に並んでいる。図１６のペンダント２０Ｂでは、首紐６５が第２ペンダント２２の通し孔５１に挿通され、第２ペンダント２２が旋回軸５４の周り方向へ旋回し、それらペンダント２１，２２が首紐６５の下方に略逆三角形を形成している。
【００４６】
複合ペンダント２０Ｂは、第１および第２ペンダント２１，２２の一方が他方に対して旋回軸５４の周り方向へ旋回するので、首紐６５を挿通する通し孔３７，５１を選択することによって首紐６５を介して吊り下げたときのペンダント２０Ｂの形態を変化させることができる。さらに、第１および第２ペンダント２１，２２の一方が他方に対して回転軸５３の周り方向へ回転するので、第１ペンダント２１の前壁２３と第２ペンダント２２の後壁４０とを並べることや第１ペンダント２１の後壁２４と第２ペンダント２２の前壁３９とを並べることができ、それらペンダント２１，２２の一方の壁のみならず、前後壁２３，２４，３９，４０の形状や装飾を利用してペンダント２０Ｂの形態を変化させることができ、多様な形態のペンダント２０Ｂとして使用することができる。
【００４７】
図１の複合ペンダント２０Ａでは、第２ペンダント２２のみならず、第１ペンダント２１の前後壁２３，２４の平面形状が異なっていてもよく、第２ペンダント２２の前後壁２３，２４の平面形状が同一であってもよい。図９の複合ペンダント２０Ｂでは、第１および第２ペンダント２１，２２の前後壁２３，２４，３９，４０が異なる平面形状であってもよい。
【００４８】
複合ペンダント２０Ａ，２０Ｂでは、第１および第２ペンダント２１，２２の材質について特に限定はなく、それらペンダント２１，２２を金属やプラスチック、ガラス等から作ることができる。また、第１および第２ペンダント２１，２２の前後壁２３，２４，３９，４０の平面形状をそれら図示の形状に限定するものではなく、図示以外の形状にすることもできる。複合ペンダント２０Ａ，２０Ｂでは、第１および第２ペンダント２１，２２の個数を図示に限定するものではなく、第１および第２ペンダント２１，２２が図示の個数より多くてもよい。複合ペンダント２０Ａ，２０Ｂでは、第１および第２ペンダント２１，２２の前後壁２３，２４，３９，４０の外面に宝石３３，３４，４９，５０が取り付けられていなくてもよい。
【図面の簡単な説明】
【００４９】
【図１】一例として示す複合ペンダントの正面図。
【図２】複合ペンダントの背面図。
【図３】図１の複合ペンダントの斜視図。
【図４】前壁を除いた状態で示す図１の複合ペンダントの平面図。
【図５】図１の５−５線矢視断面図。
【図６】連結部材の拡大斜視図。
【図７】首紐を介して吊り下げられた図１の複合ペンダントの斜視図。
【図８】首紐を介して吊り下げられた図１の複合ペンダントの斜視図。
【図９】他の一例として示す複合ペンダントの正面図。
【図１０】複合ペンダントの背面図。
【図１１】図９の複合ペンダントの斜視図。
【図１２】前壁を除いた状態で示す図９の複合ペンダントの平面図。
【図１３】図９の１３−１３線矢視断面図。
【図１４】連結部材の拡大斜視図。
【図１５】首紐を介して吊り下げられた図９の複合ペンダントの斜視図。
【図１６】首紐を介して吊り下げられた図９の複合ペンダントの斜視図。
【符号の説明】
【００５０】
２０Ａ    複合ペンダント
２０Ｂ    複合ペンダント
２１    第１ペンダント
２１Ａ    第１ペンダント
２１Ｂ    第１ペンダント
２２    第２ペンダント
２３    前壁（第１前壁）
２４    後壁（第１後壁）
２５    周縁
２６    周壁（第１周壁）
２９    対角（第１対角）
３７    通し孔
３８    空間
３９    前壁（第２前壁）
４０    後壁（第２後壁）
４１    周縁
４２    周壁（第２周壁）
４５    対角（第２対角）
５１    通し孔
５２    連結部材
５３    回転軸
５４    旋回軸
５５    コイルバネ
５６    第１透孔
５７    外端部
５８    内端部
６０    第２透孔
６５    首紐
７０    ストッパーピン
７１    カップリング
７３    凹部
【図１】
2005160939.tif 000003
【図２】
2005160939.tif 000004
【図３】
2005160939.tif 000005
【図４】
2005160939.tif 000006
【図５】
2005160939.tif 000007
【図６】
2005160939.tif 000008
【図７】
2005160939.tif 000009
【図８】
2005160939.tif 000010
【図９】
2005160939.tif 000011
【図１０】
2005160939.tif 000012
【図１１】
2005160939.tif 000013
【図１２】
2005160939.tif 000014
【図１３】
2005160939.tif 000015
【図１４】
2005160939.tif 000016
【図１５】
2005160939.tif 000017
【図１６】
2005160939.tif 000018